(57)【要約】【課題】指紋照合装置という複雑な構成を必要とせずに、かつ、必要なときに解除情報を第三者に認識され難くすることが可能な電子機器を提供する。【解決手段】所定機能をロックするセキュリティロック機能を有する電子機器は、複数の操作対象を表す画面を表示する表示手段と、セキュリティロック機能によるロックを解除するための条件として複数の操作対象の選択順を表した解除条件を記憶する記憶手段と、画面に対するタッチ操作を検出する検出手段と、画面に対するタッチが継続しながらタッチの位置が遷移する遷移状況でタッチの位置にて順次選択される複数の操作対象の選択順が解除条件に表された選択順と一致するタッチ操作を検出手段が検出した場合に、ロックを解除する制御手段と、を含む。【選択図】図１
2013117918.tif 000002
【特許請求の範囲】
【請求項１】
所定機能をロックするセキュリティロック機能を有する電子機器であって、
複数の操作対象を表す画面を表示する表示手段と、
前記セキュリティロック機能によるロックを解除するための条件として、前記複数の操作対象の選択順を表した解除条件を記憶する記憶手段と、
前記画面に対するタッチ操作を検出する検出手段と、
前記画面に対するタッチが継続しながら当該タッチの位置が遷移する遷移状況で当該タッチの位置にて順次選択される前記複数の操作対象の選択順が前記解除条件に表された選択順と一致するタッチ操作を、前記検出手段が検出した場合に、前記ロックを解除する制御手段と、を含む電子機器。
【請求項２】
請求項１に記載の電子機器において、
前記表示手段は、前記複数の操作対象の各々が格子点のいずれに割り当てられた格子状の画面を表示する、電子機器。
【請求項３】
請求項２に記載の電子機器において、
前記検出手段は、さらに、前記遷移状況で遷移する前記タッチの位置にて順次選択された前記格子点を検出し、
前記記憶手段は、さらに、所定の数を記憶し、
前記制御手段は、前記遷移状況で遷移する前記タッチの位置にて順次選択される前記複数の操作対象の選択順が前記解除条件に表された選択順と一致するタッチ操作を、前記検出手段が検出し、かつ、前記検出手段にて検出された格子点の数が前記所定の数と一致する場合に、前記ロックを解除する、電子機器。
【請求項４】
請求項２に記載の電子機器において、
前記格子状の画面内の各格子点には、当該格子点の識別情報が付してあり、
前記制御手段は、さらに、前記遷移状況で遷移する前記タッチの位置にて順次選択された前記格子点に付された識別情報を選択順に並べた入力情報を生成し、
前記記憶手段は、過去に前記ロックの解除に用いた前記タッチ操作が行われた前記遷移状況で生成された前記入力情報を記憶し、
前記制御手段は、今回の前記遷移状況で遷移する当該タッチの位置にて順次選択される前記複数の操作対象の選択順が前記解除条件に表された選択順と一致するタッチ操作を、前記検出手段が検出し、かつ、今回生成された入力情報が、前記記憶手段内の入力情報と異なる場合に、前記ロックを解除する、電子機器。
【請求項５】
請求項３に記載の電子機器において、
前記格子状の画面内の各格子点には、当該格子点の識別情報が付してあり、
前記制御手段は、さらに、前記遷移状況で遷移する前記タッチの位置にて順次選択された前記格子点に付された識別情報を検出順に並べた入力情報を生成し、
前記記憶手段は、過去に前記ロックの解除に用いた前記タッチ操作が行われた前記遷移状況で生成された前記入力情報を記憶し、
前記制御手段は、今回の前記遷移状況で遷移する当該タッチの位置にて順次選択される前記複数の操作対象の選択順が前記解除条件に表された選択順と一致するタッチ操作を、前記検出手段が検出し、かつ、前記検出手段にて今回検出された格子点の数が前記所定の数と一致し、かつ、今回生成された入力情報が、前記記憶手段内の入力情報と異なる場合に、前記ロックを解除する、電子機器。
【請求項６】
請求項１から５のいずれか１項に記載の電子機器において、
前記検出手段は、タッチパネルである、電子機器。
【請求項７】
所定機能をロックするセキュリティロック機能を有する電子機器でのセキュリティロック解除方法であって、
複数の操作対象を表す画面を表示する表示ステップと、
前記セキュリティロック機能によるロックを解除するための条件として、前記複数の操作対象の選択順を表した解除条件を記憶手段に記憶する記憶ステップと、
前記画面に対するタッチ操作を検出する検出ステップと、
前記画面に対するタッチが継続しながら当該タッチの位置が遷移する遷移状況で当該タッチの位置にて順次選択される前記複数の操作対象の選択順が前記解除条件に表された選択順と一致するタッチ操作が検出された場合に、前記ロックを解除する制御ステップと、を含むセキュリティロック解除方法。
【請求項８】
コンピュータに、
複数の操作対象を表す画面を表示する表示手順と、
所定機能をロックするセキュリティロック機能によるロックを解除するための条件として、前記複数の操作対象の選択順を表した解除条件を記憶手段に記憶する記憶手順と、
前記画面に対するタッチ操作を検出する検出手順と、
前記画面に対するタッチが継続しながら当該タッチの位置が遷移する遷移状況で当該タッチの位置にて順次選択される前記複数の操作対象の選択順が前記解除条件に表された選択順と一致するタッチ操作が検出された場合に、前記ロックを解除する制御手順と、を実行させるためのプログラム。
【発明の詳細な説明】
【技術分野】
【０００１】
本発明は、電子機器、セキュリティロック解除方法およびプログラムに関し、特には、セキュリティロック機能を有する電子機器、セキュリティロック解除方法およびプログラムに関する。
【背景技術】
【０００２】
携帯電話等の電子機器の不正使用を防止するための手法として、電子機器の所定機能（例えば、入力機能）をロックするセキュリティロック機能が知られている。セキュリティロック機能を有する電子機器は、予め設定された解除情報（例えば、パスワード）を受け付けると、セキュリティロック機能によるロックを解除する。
【０００３】
特許文献１には、解除情報として指紋を用いる携帯電話が記載されている。なお、一般的には、解除情報として、所定の文字列や所定のタッチ操作パターン等が用いられることが多い。
【先行技術文献】
【特許文献】
【０００４】
【特許文献１】特開２０１０−１４０５０８号公報
【発明の概要】
【発明が解決しようとする課題】
【０００５】
特許文献１に記載の携帯電話は、指紋という複雑な情報を、解除情報として用いる。このため、特許文献１に記載の携帯電話は、指紋照合装置という複雑な構成が必要になるという問題があった。
【０００６】
また、解除情報として所定の文字列や所定のタッチ操作パターンが用いられる場合、解除情報が複雑になるほど、ユーザが解除情報の入力に失敗するケースも増える。このため、ユーザは、解除情報として、比較的簡単な情報を設定する傾向がある。しかしながら、解除情報の入力を第三者に見られている可能性のあるときには、解除情報を複雑にして、解除情報が第三者に認識され難くしたいというユーザの要望も考えられる。
【０００７】
このため、指紋照合装置という複雑な構成を必要とせずに、かつ、必要なときに解除情報を第三者に認識され難くすることが可能な、セキュリティロック機能付き電子機器が望まれるという課題があった。
【０００８】
本発明の目的は、上記課題を解決可能な電子機器、セキュリティロック解除方法およびプログラムを提供することである。
【課題を解決するための手段】
【０００９】
本発明の電子機器は、
所定機能をロックするセキュリティロック機能を有する電子機器であって、
複数の操作対象を表す画面を表示する表示手段と、
前記セキュリティロック機能によるロックを解除するための条件として、前記複数の操作対象の選択順を表した解除条件を記憶する記憶手段と、
前記画面に対するタッチ操作を検出する検出手段と、
前記画面に対するタッチが継続しながら当該タッチの位置が遷移する遷移状況で当該タッチの位置にて順次選択される前記複数の操作対象の選択順が前記解除条件に表された選択順と一致するタッチ操作を、前記検出手段が検出した場合に、前記ロックを解除する制御手段と、を含む。
【００１０】
本発明のセキュリティロック解除方法は、
所定機能をロックするセキュリティロック機能を有する電子機器でのセキュリティロック解除方法であって、
複数の操作対象を表す画面を表示する表示ステップと、
前記セキュリティロック機能によるロックを解除するための条件として、前記複数の操作対象の選択順を表した解除条件を記憶手段に記憶する記憶ステップと、
前記画面に対するタッチ操作を検出する検出ステップと、
前記画面に対するタッチが継続しながら当該タッチの位置が遷移する遷移状況で当該タッチの位置にて順次選択される前記複数の操作対象の選択順が前記解除条件に表された選択順と一致するタッチ操作が検出された場合に、前記ロックを解除する制御ステップと、を含む。
【００１１】
本発明のプログラムは、
コンピュータに、
複数の操作対象を表す画面を表示する表示手順と、
所定機能をロックするセキュリティロック機能によるロックを解除するための条件として、前記複数の操作対象の選択順を表した解除条件を記憶手段に記憶する記憶手順と、
前記画面に対するタッチ操作を検出する検出手順と、
前記画面に対するタッチが継続しながら当該タッチの位置が遷移する遷移状況で当該タッチの位置にて順次選択される前記複数の操作対象の選択順が前記解除条件に表された選択順と一致するタッチ操作が検出された場合に、前記ロックを解除する制御手順と、を実行させる。
【発明の効果】
【００１２】
本発明によれば、セキュリティロック機能付き電子機器において、指紋照合装置という複雑な構成を必要とせずに、かつ、必要なときに解除情報を第三者に認識され難くすることが可能になる。
【図面の簡単な説明】
【００１３】
【図１】本発明の第１実施形態の電子機器の一例である携帯端末１００を示したブロック図である。
【図２】設定情報の一例を示した図である。
【図３】格子状の画面３１の一例を示した図である。
【図４】解除条件の一例を示した図である。
【図５】設定用画面３２の一例を示した図である。
【図６】各画面に遷移したときのアイコンの表示例を示した図である。
【図７】セキュリティロック機能によるロックを解除のための操作例を説明するための図である。
【図８】セキュリティロック機能によるロックを解除のための動作を説明するためのフローチャートである。
【図９】ＬＣＤ表示部３とメモリ部５とタッチパネル部６と制御部７とからなる電子機器を示した図である。
【図１０】本発明の第２実施形態の電子機器の一例である携帯端末１００Ａを示したブロック図である。
【図１１】解除条件と遷移ポイント総数との一例を示した図である。
【図１２】第２実施形態においてセキュリティロック機能によるロックを解除のための操作例を説明するための図である。
【図１３】本実施形態におけるセキュリティロック機能によるロックを解除のための動作を説明するためのフローチャートである。
【図１４】本発明の第３実施形態の電子機器の一例である携帯端末１００Ｂを示したブロック図である。
【図１５】本実施形態におけるセキュリティロック機能によるロックを解除のための動作を説明するためのフローチャートである。
【発明を実施するための形態】
【００１４】
以下、本発明の実施形態を図面を参照して説明する。
【００１５】
（第１実施形態）
図１は、本発明の第１実施形態の電子機器の一例である携帯端末１００を示したブロック図である。
【００１６】
図１において、携帯端末１００は、カメラ１と、無線部２と、ＬＣＤ（Liquid Crystal Display）表示部３と、バックライト部４と、メモリ部５と、タッチパネル部６と、制御部７と、キー操作部８と、を含む。
【００１７】
携帯端末１００は、例えば、ＰＨＳ（Personal Handyphone System）、ＰＤＡ（Personal Data Assistance，Personal Digital Assistants：個人向け携帯型情報通信機器）、タブレット端末、携帯電話、ＰＣ（パーソナルコンピュータ）、または、ゲーム機である。
【００１８】
携帯端末１００は、種々の機能を有する。本実施形態では、携帯端末１００は、種々の機能として、カメラ機能、メール機能、ワンセグ機能、電話帳機能および電話機能を有する。なお、携帯端末１００が有する機能は、カメラ機能、メール機能、ワンセグ機能、電話帳機能および電話機能に限らず適宜変更可能である。
【００１９】
携帯端末１００は、カメラ機能、メール機能、ワンセグ機能、電話帳機能および電話機能のうち、カメラ機能およびワンセグ機能についてはセキュリティロック機能なしに設定され、個人情報を扱うメール機能、電話帳機能および電話機能についてはセキュリティロック機能ありに設定されている。なお、各機能におけるセキュリティロック機能の有無を表す設定情報は、メモリ部５に保存される。図２は、設定情報の一例を示した図である。
【００２０】
図１に戻って、カメラ１は、レンズおよび撮像素子を有するカメラモジュールであり、カメラ機能を実現する。
【００２１】
無線部２は、通話時や電子メールの送受信時に基地局と通信を行う。また、無線部２は、テレビ放送受信時にワンセグ放送を受信する。
【００２２】
ＬＣＤ表示部３は、表示手段の一例である。表示手段は、ＬＣＤ表示部に限らず適宜変更可能である。
【００２３】
ＬＣＤ表示部３は、アイコン等を用いて種々の機能／設定を表示する。また、ＬＣＤ表示部３は、セキュリティロック機能によるロックを解除するために用いる格子状の画面を表示する。格子状の画面は、複数の操作対象を表す画面の一例である。
【００２４】
図３は、格子状の画面３１の一例を示した図である。
【００２５】
図３において、格子状の画面３１内の各格子点には、“１”〜“１６”の番号がそれぞれ割り当てられている。格子点に割り当てられた“１”〜“１６”の番号は、格子点の識別情報の一例である。以下では、各格子点を「ポイント」と称し、“１”〜“１６”の番号が割り当てられたポイントを、ポイント“１”〜“１６”と称する。
【００２６】
また、図３では、ポイント“６”とポイント“１０”とポイント“３”が、複数の操作対象の一例となる。
【００２７】
なお、図３に示した格子状の画面３１は、１６個のポイントを有するが、格子状の画面３１が有するポイント数は、１６個に限らず、複数であれば適宜変更可能である。
【００２８】
また、各ポイントに対する番号の割り当て手法も、図３に示した割り当て手法に限らず適宜変更可能である。
【００２９】
また、各ポイントの識別情報も、番号に限らず適宜変更可能であり、例えば、互いに異なる文字でもよい。
【００３０】
図１に戻って、バックライト部４は、ＬＣＤ表示部３の背面に設けられ、ＬＣＤ表示部３を見やすくするために点灯する。
【００３１】
メモリ部５は、記憶手段の一例である。
【００３２】
メモリ部５は、携帯端末１００が有する各機能におけるセキュリティロック機能の有無を表す設定情報と、セキュリティロック機能によるロックを解除するための条件（以下「解除条件」と称する）と、を保存する。
【００３３】
本実施形態では、メモリ部５は、解除条件として、ポイント“６”とポイント“１０”とポイント“３” の選択順を表した情報を保存する。なお、解除条件は、ポイント“６”とポイント“１０”とポイント“３” の選択順に限らず、複数のポイントの選択順であればよい。
【００３４】
図４は、解除条件の一例を示した図である。
【００３５】
図４に示した解除条件は、ポイント“６”とポイント“１０”とポイント“３”のうちで、ポイント“６”が最初（１番目）に選択され、ポイント“１０”が次（２番目）に選択され、ポイント“３”が最後（３番目）に選択されることを表す。
【００３６】
図１に戻って、タッチパネル部６は、検出手段の一例である。
【００３７】
タッチパネル部６は、ＬＣＤ表示部３上に配置され、ＬＣＤ表示部３が表示する画面に対するタッチ操作を検出する。タッチパネル部６は、例えば、ＬＣＤ表示部３に表示されたアイコンへのタッチ操作を検出することによって、タッチ操作されたアイコンに対応する機能の実行や設定を行う。
【００３８】
また、タッチパネル部６は、格子状の画面３１に対するタッチが継続しながらタッチの位置が遷移している状況（以下「遷移状況」と称する）で、タッチの位置にて順次選択されるポイントを指定するタッチ操作を検出する。
【００３９】
制御部７は、制御手段の一例である。
【００４０】
制御部７は、携帯端末１００の動作を制御する。
【００４１】
例えば、制御部７は、携帯端末１００が有する各機能におけるセキュリティロック機能によるロックと、そのロックの解除と、を制御する。
【００４２】
制御部７は、例えば、遷移状況で遷移するタッチの位置にて順次選択されるポイント“６”とポイント“１０”とポイント“３”の選択順が解除条件に表された選択順と一致するタッチ操作を、タッチパネル部６が検出した場合に、セキュリティロック機能によるロックを解除する。
【００４３】
キー操作部８は、いわゆるハードキーであり、種々の入力を受け付ける。
【００４４】
次に、動作を説明する。
【００４５】
まず、解除条件を設定する動作を説明する。
【００４６】
タッチパネル部６またはキー操作部８が、解除条件を設定する旨の設定指示を受け付けると、制御部７は、解除条件を設定するための設定用画面をＬＣＤ表示部３に表示する。
【００４７】
図５は、設定用画面３２の一例を示した図である。
【００４８】
携帯端末１００のユーザは、設定用画面３２内のポイント“１”〜“１６”の中から、複数の操作対象として設定する任意の複数のポイントを、順番にタッチして選択する。
【００４９】
以下、ポイント“６”とポイント“１０”とポイント“３”が、ポイント“６”、ポイント“１０”、ポイント“３”の順にタッチされて、複数の操作対象として選択されたとする。
【００５０】
ポイント“６”とポイント“１０”とポイント“３”が、ポイント“６”、ポイント“１０”、ポイント“３”の順にタッチされて選択されると、タッチパネル部６は、ポイント“６”とポイント“１０”とポイント“３”とを、ポイント“６”、ポイント“１０”、ポイント“３”の順に検出する。
【００５１】
タッチパネル部６は、設定用画面３２上から順次検出されたポイントを、制御部７に出力する。
【００５２】
制御部７は、設定用画面３２が表示されている状況で、タッチパネル部６からポイントの検出結果を受け付けると、その検出結果を表す解除条件を設定する。
【００５３】
例えば、タッチパネル部６が、ポイント“６”とポイント“１０”とポイント“３”とを、ポイント“６”、ポイント“１０”、ポイント“３”の順に検出した場合、制御部７は、ポイント“６”が最初（１番目）に選択され、ポイント“１０”が次（２番目）に選択され、ポイント“３”が最後（３番目）に選択されることを表す解除条件を設定する（図４参照）。
【００５４】
制御部７は、その解除条件をメモリ部５に記憶する。
【００５５】
次に、セキュリティロック機能によるロックがなされている場合のアイコンの表示例と、セキュリティロック機能によるロックが解除されている場合のアイコンの表示例と、を説明する。
【００５６】
図６は、各画面に遷移したときのアイコンの表示例を示した図である。
【００５７】
セキュリティロック機能によりロックがなされていないときの待ち受け画面３３が、ＬＣＤ表示部３に表示された状態で、タッチパネル部６またはキー操作部８が、セキュリティロック機能によるロックを行う旨のロック指示を受け付けると、制御部７は、メモリ部５内の設定情報にてセキュリティロック機能ありに設定されている機能（メール機能、電話帳機能および電話機能）について、セキュリティロック機能によるロックを実行する。
【００５８】
セキュリティロック機能によるロックが実行されると、ＬＣＤ表示部３の表示画面は、セキュリティロック設定後の画面３４に切り替わる。
【００５９】
セキュリティロック機能によるロックが実行されると、メール、電話帳、電話の各機能は実行できないため、画面３４では、メール、電話帳、電話の各機能に対応するアイコンに“×”表示が追加されている。
【００６０】
その後、セキュリティロック機能によるロックを解除する操作が行われると、制御部７は、セキュリティロック機能によるロックを解除する。
【００６１】
セキュリティロック機能によるロックが解除されると、ＬＣＤ表示部３の表示画面は、セキュリティロック解除後の画面３５に切り替わる。画面３５は待ち受け画面３３と同一内容を示す。
【００６２】
セキュリティロック機能によるロックが解除されると、メール、電話帳、電話の各機能は実行可能となるため、画面３５では、メール、電話帳、電話の各機能に対応するアイコンに追加されていた“×”表示が消える。
【００６３】
次に、セキュリティロック機能によるロックを解除するための操作例を説明する。
【００６４】
図７は、セキュリティロック機能によるロックを解除のための操作例を説明するための図である。
【００６５】
なお、メモリ部５には、ポイント“６”が最初（１番目）に選択され、ポイント“１０”が次（２番目）に選択され、ポイント“３”が最後（３番目）に選択されることを表す解除条件（図４参照）が保持されているとする。
【００６６】
携帯端末１００のユーザが、セキュリティロック機能によりロックされた機能を実行しようとして、画面３４において“×”表示が追加されているアイコンをタッチすると、制御部７は、ＬＣＤ表示部３に格子状の画面を表示して、セキュリティロック機能によるロックを解除するためのパスワードに相当する解除パターンの入力を待つ状態となる。
【００６７】
解除パターンとは、格子状の画面へのタッチが継続しながらタッチの位置が格子状の画面上で遷移している遷移状況で、遷移するタッチ位置にて順次選択されたすべてのポイントを選択順に表すと共に、その選択されたポイントの中に、解除条件に表された複数のポイントが含まれ、かつ、選択されたポイントの中の複数のポイント間の選択の順序が、解除条件に表された選択順を満たすものである。
【００６８】
携帯端末１００のユーザは、まず、セキュリティロック機能によるロックを解除するための解除条件の１箇所目のポイントであるポイント“６”を指でタッチする（図７参照）。タッチパネル部６は、ポイント“６”へのタッチを検出すると、その検出結果を制御部７へ出力する。
【００６９】
その後、携帯端末１００のユーザは、タッチパネル部６への指でのタッチを継続したまま、指を２箇所目のポイントであるポイント“１０”の位置まで図７における下方向に移動する。タッチパネル部６は、遷移状況でのポイント“１０”へのタッチを検出すると、その検出結果を制御部７へ出力する。
【００７０】
指がポイント“６”をタッチし、その後、指がタッチパネル部６にタッチしたままポイント“６”からポイント“１０”へ他のポイントを経由せずに移動すると、制御部７は、タッチパネル部６の検出結果に基づいて、格子状の画面に、ポイント“６”からポイント“１０”へ向かう矢印３６を表示する。
【００７１】
なお、矢印３６は、遷移状況において、指が、１箇所目のポイントであるポイント“６”と２箇所目のポイントであるポイント“１０”を通ったことを表す。
【００７２】
その後、携帯端末１００のユーザは、タッチパネル部６への指でのタッチを継続したまま、指をポイント“１１”の位置まで図７における右方向に移動する。タッチパネル部６は、遷移状況でのポイント“１１”へのタッチを検出すると、その検出結果を制御部７へ出力する。
【００７３】
制御部７は、遷移状況でのポイント“１１”へのタッチを表すタッチパネル部６の検出結果に基づいて、格子状の画面に、ポイント“１０”からポイント“１１”へ向かう矢印３７を表示する。
【００７４】
その後、携帯端末１００のユーザは、タッチパネル部６への指でのタッチを継続したまま、指をポイント“７”の位置まで図７における上方向に移動する。タッチパネル部６は、遷移状況でのポイント“７”へのタッチを検出すると、その検出結果を制御部７へ出力する。
【００７５】
制御部７は、遷移状況でのポイント“７”へのタッチを表すタッチパネル部６の検出結果に基づいて、格子状の画面に、ポイント“１１”からポイント“７”へ向かう矢印３８を表示する。
【００７６】
その後、携帯端末１００のユーザは、タッチパネル部６への指でのタッチを継続したまま、指を３箇所目のポイントであるポイント“３”の位置まで図７における上方向に移動する。タッチパネル部６は、遷移状況でのポイント“３”へのタッチを検出すると、その検出結果を制御部７へ出力する。
【００７７】
制御部７は、遷移状況でのポイント“３”へのタッチを表すタッチパネル部６の検出結果に基づいて、格子状の画面に、ポイント“７”からポイント“３”へ向かう矢印３９を表示する。
【００７８】
なお、矢印３９は、遷移状況において、指が、３箇所目のポイントであるポイント“３”を通ったことを表す。
【００７９】
図７に示した例では、タッチパネル部６がポイント“６”とポイント“１０”とポイント“３”とを検出した順番が、メモリ部５内の解除条件に表された順番と一致する。
【００８０】
このため、携帯端末１００のユーザが、ポイント“３”までの操作後、指をタッチパネル部６から離してタッチを開放すると、制御部７は、セキュリティロック機能によるロックを解除し、ＬＣＤ表示部３に、セキュリティロック解除後の画面３５（図６参照）を表示する。
【００８１】
セキュリティロック機能によるロックを解除するためには、ポイント“６”とポイント“１０”とポイント“３”とを選択した順番が、メモリ部５内の解除条件に表された順番と一致すればよく、ポイント“６”とポイント“１０”との間の通り道、および、ポイント“１０”とポイント“３”との間の通り道は、任意となる。
【００８２】
このため、メモリ部５内の１つの解除条件を満たす解除パターンは、複数存在する。
【００８３】
よって、解除パターンの入力が他人に見られている可能性にあるとき等には、携帯端末１００のユーザは、複数ある解除パターンのうち、複雑な解除パターンを用いることによって、他人が解除パターンを認識しづらくすることが可能になる。
【００８４】
図８は、セキュリティロック機能によるロックを解除のための動作を説明するためのフローチャートである。
【００８５】
制御部７は、タッチパネル部６の出力に基づいて、タッチパネル部６がタッチされたかを判別する（ステップ１０１）。
【００８６】
タッチパネル部６がタッチされた場合、制御部７は、解除条件における読み出し位置を示す指示部（例えば、ポインタ）を初期化して、指示部が示す解除条件の読み出し位置を、解除条件の１箇所目のポイントの位置に設定する（ステップ１０２）。なお、指示部は、制御部７に内蔵されている。
【００８７】
次に、制御部７は、タッチパネル部６の出力を参照して、ポイントが検出されたかどうかを判別する（ステップ１０３）。
【００８８】
ポイントが検出されていれば、制御部７は、指示部が示す解除条件の読み出し位置から、操作対象であるポイントを読み出す（ステップ１０４）。なお、１箇所目のポイントは、ポイント“６”である。
【００８９】
制御部７は、タッチパネル部６にて検出されたポイントが、解除条件から読み出されたポイントと一致したかどうか判別し（ステップ１０５）、一致していなければ、ステップ１０３に戻る。
【００９０】
タッチパネル部６にて検出されたポイントが、解除条件から読み出されたポイントと一致していると、制御部７は、解除条件から読み出されたポイントが、解除条件に示された最終箇所のポイントであるかどうか判別する（ステップ１０６）。
【００９１】
解除条件から読み出されたポイントが、解除条件に示された最終箇所のポイントでなければ、制御部７は、指示部が示す解除条件の読み出し位置を、次の箇所のポイントの位置に更新し（ステップ１０７）、ステップ１０３に戻る。
【００９２】
なお、指示部が示す解除条件の読み出し位置が、１箇所目のポイントの位置であった場合、次の箇所のポイントの位置は、２箇所目のポイント（ポイント“１０”）の位置となる。
【００９３】
また、指示部が示す解除条件の読み出し位置が、２箇所目のポイントの位置であった場合、次の箇所のポイントの位置は、３箇所目のポイント（ポイント“３”）の位置となる。
【００９４】
ステップ１０６で、解除条件から読み出されたポイントが、解除条件に示された最終箇所のポイント（ポイント“３”）であると、制御部７は、タッチパネル部６の出力を参照して、タッチが解放されたかどうか判別し（ステップ１０８）、タッチが解放されていれば、セキュリティロック機能によるロックを解除し、ＬＣＤ表示部３に、セキュリティロック解除後の画面３５（図６参照）を表示する（ステップ１０９）。
【００９５】
タッチが解放されていなければ、制御部７は、ステップ１０８をループする。
【００９６】
ＬＣＤ表示部３の表示画面がセキュリティロック解除後の画面に遷移していれば、次に、セキュリティロック機能有りに設定された別の機能を実行しようとした場合は、そのまま実行することができる。
【００９７】
なお、セキュリティロック機能によるロックがなされた画面に戻る場合、つまり、セキュリティロック機能によるロックを実行する場合には、例えば、ＬＣＤ表示部３に、セキュリティロック機能によるロックを実行する旨のソフトキーを表示し、そのソフトキーが操作された際に、制御部７は、セキュリティロック機能によるロックを実行してもよいし、セキュリティロック機能によるロックが解除されてから一定期間操作が無い場合に、制御部７は、セキュリティロック機能によるロックがなされた状態に、自動的に戻るようにしてもよい。
【００９８】
次に、本実施形態の効果を説明する。
【００９９】
本実施形態によれば、ＬＣＤ表示部３は、複数の操作対象（例えば、ポイント“６”、ポイント“１０”およびポイント“３”）を表す画面（図７参照）を表示する。
【０１００】
メモリ部５は、セキュリティロック機能によるロックを解除するための条件として、複数の操作対象の選択順を表した解除条件を記憶する（図４参照）。
【０１０１】
タッチパネル部６は、ＬＣＤ表示部３の画面に対するタッチ操作を検出する。
【０１０２】
制御部７は、遷移状況で遷移するタッチの位置にて順次選択される複数の操作対象の選択順が解除条件に表された選択順と一致するタッチ操作を、タッチパネル部６が検出した場合に、セキュリティロック機能によるロックを解除する。
【０１０３】
このため、セキュリティロック機能によるロックを解除するためには、複数の操作対象を選択した順番が、メモリ部５内の解除条件に表された順番と一致すればよく、遷移状況での各操作対象間の通り道は、任意となる。
【０１０４】
このため、メモリ部５内の１つの解除条件を満たす解除パターンは、遷移状況での各操作対象間の通り道を変更することで、複数存在する。
【０１０５】
よって、解除パターンの入力が他人に見られている可能性にあるとき等には、携帯端末１００のユーザは、複数ある解除パターンのうち、複雑な解除パターンを用いることによって、他人が解除パターンを認識しづらくすることが可能になる。
【０１０６】
なお、上記効果は、ＬＣＤ表示部３とメモリ部５とタッチパネル部６と制御部７とからなる電子機器でも奏する。
【０１０７】
図９は、ＬＣＤ表示部３とメモリ部５とタッチパネル部６と制御部７とからなる電子機器を示した図である。
【０１０８】
また、本実施形態では、ＬＣＤ表示部３は、複数の操作対象の各々が格子点のいずれに割り当てられた格子状の画面を表示する。
【０１０９】
このため、携帯端末１００のユーザは、格子を利用することで、種々の解除パターンを入力しやすくなる。
【０１１０】
なお、本実施形態は、以下のように変形されてもよい。
【０１１１】
制御部７は、遷移状況で遷移するタッチの位置にて順次選択される複数の操作対象の選択順が解除条件に表された選択順と一致しかつ遷移状況で同一の操作対象が選択されていないタッチ操作を、タッチパネル部６が検出した場合に、セキュリティロック機能によるロックを解除する。
【０１１２】
例えば、メモリ部５が、解除条件として図４に示した解除条件を保存している状況で、タッチパネル部６が、遷移状況で、ポイント“６”、ポイント“１０”、ポイント“６”、ポイント“１０”、ポイント“３”を、この順番で検出した場合、制御部７Ａは、セキュリティロック機能によるロックを解除しない。
【０１１３】
この変形例によれば、同一の操作対象が選択された場合に、セキュリティロック機能によるロックの解除を禁止することが可能になる。
【０１１４】
（第２実施形態）
次に、本発明の第２実施形態を説明する。
【０１１５】
図１０は、本発明の第２実施形態の電子機器の一例である携帯端末１００Ａを示したブロック図である。
【０１１６】
図１０において、図１に示したものと同一構成のものには同一符号を付してある。以下、図１０に示した携帯端末１００Ａについて、図１に示した携帯端末１００と異なる点を中心に説明する。
【０１１７】
図１０に示した携帯端末１００Ａでは、図１に示したメモリ部５の代わりにメモリ部５Ａが用いられ、制御部７の代わりに制御部７Ａが用いられる。
【０１１８】
メモリ部５Ａは、記憶手段の一例である。メモリ部５Ａは、メモリ部５が記憶する情報に加えて、遷移ポイント総数を記憶する。遷移ポイント総数は、所定の数の一例である。なお、遷移ポイント総数は、任意の数でよいことは言うまでもない。
【０１１９】
制御部７Ａは、制御手段の一例である。
【０１２０】
制御部７Ａは、遷移状況で遷移するタッチの位置にて順次選択される複数の操作対象の選択順が解除条件に表された選択順と一致するタッチ操作をタッチパネル部６が検出し、かつ、タッチパネル部６にて検出されたポイントの数が遷移ポイント総数と一致する場合に、セキュリティロック機能によるロックを解除する。
【０１２１】
図１１は、解除条件と遷移ポイント総数との一例を示した図である。
【０１２２】
図１１において、解除条件は、第１実施形態で示したものと同じ、ポイント“６”、ポイント“１０”、ポイント“３”を複数の操作対象として表し、その選択順も第１実施形態で示したものと同じである。そして、遷移ポイント総数は「８」を表している。
【０１２３】
本実施形態では、セキュリティロック機能によるロックを解除するためのタッチ操作において、操作対象の間の通り道は任意であるが、遷移したポイントの総数が「８」となるような解除パターンでなければいけない。
【０１２４】
遷移ポイント総数は解除条件設定後に数値入力することにより設定するようにし、メモリ部５Ａに保存される。
【０１２５】
図７に示したセキュリティロック機能によるロックを解除のための操作例では、解除条件であるポイント“６”、ポイント“１０”、ポイント“３”を、指がこの順に通り、解除条件は満たしている。しかし、遷移したポイントは、ポイント“６”、ポイント“１０”、ポイント“１１”、ポイント“７”、ポイント“３”であり、遷移したポイントの総数は「５」であるため、遷移ポイント総数「８」と異なり、遷移ポイント総数についての条件を満たしていないため、セキュリティロック機能によりロックは解除されない。
【０１２６】
図１２は、第２実施形態においてセキュリティロック機能によるロックを解除のための操作例を説明するための図である。
【０１２７】
なお、制御部７Ａは、ＬＣＤ表示部３に格子状の画面を表示して、セキュリティロック機能によるロックを解除するためのパスワードに相当する解除パターンの入力を待つ状況であるとする。
【０１２８】
この状況で、携帯端末１００Ａのユーザが、まず、解除条件の１箇所目のポイントであるポイント“６”を指でタッチし、そのタッチを継続したまま、指をポイント“９”の位置まで図１２における左斜め下方向に移動すると、制御部７Ａは、格子状の画面に、ポイント“６”からポイント“９”へ向かう矢印１２１を表示する。
【０１２９】
その後、携帯端末１００Ａのユーザが、タッチパネル部６への指でのタッチを継続したまま、指をポイント“１０”の位置まで図１２における右方向に移動すると、制御部７Ａは、格子状の画面に、ポイント“９”からポイント“１０”へ向かう矢印１２２を表示する。
【０１３０】
この時点で、解除条件の１箇所目と２箇所目として示されたポイント“６”およびポイント“１０”が選択されたことになる。
【０１３１】
その後、携帯端末１００Ａのユーザが、タッチパネル部６への指でのタッチを継続したまま、指をポイント“１１”の位置まで図１２における右方向に移動すると、制御部７Ａは、格子状の画面に、ポイント“１０”からポイント“１１”へ向かう矢印１２３を表示する。
【０１３２】
その後、携帯端末１００Ａのユーザが、タッチパネル部６への指でのタッチを継続したまま、指をポイント“７”の位置まで図１２における上方向に移動すると、制御部７Ａは、格子状の画面に、ポイント“１１”からポイント“７”へ向かう矢印１２４を表示する。
【０１３３】
その後、携帯端末１００Ａのユーザが、タッチパネル部６への指でのタッチを継続したまま、指をポイント“８”の位置まで図１２における右方向に移動すると、制御部７Ａは、格子状の画面に、ポイント“７”からポイント“８”へ向かう矢印１２５を表示する。
【０１３４】
その後、携帯端末１００Ａのユーザが、タッチパネル部６への指でのタッチを継続したまま、指をポイント“４”の位置まで図１２における上方向に移動すると、制御部７Ａは、格子状の画面に、ポイント“８”からポイント“４”へ向かう矢印１２６を表示する。
【０１３５】
その後、携帯端末１００Ａのユーザが、タッチパネル部６への指でのタッチを継続したまま、指をポイント“３”の位置まで図１２における左方向に移動すると、制御部７Ａは、格子状の画面に、ポイント“４”からポイント“３”へ向かう矢印１２７を表示する。
【０１３６】
この時点で、解除条件の３箇所目として示されたポイント“３”が選択されたことになる。
【０１３７】
このタッチ操作では、指が、複数の操作対象である、ポイント“６”、ポイント“１０”、ポイント“３”を解除条件に示された順に通っているため、解除条件を満たしている。また、このタッチ操作中に遷移したポイントはポイント“６”、ポイント“９”、ポイント“１０”、ポイント“１１”、ポイント“７”、ポイント“８”、ポイント“４”、ポイント“３”であり、遷移したポイントの総数は「８」であるため、メモリ部５Ａ内の遷移ポイント総数「８」と一致し、遷移ポイント総数についての条件を満たしている。このため、ＬＣＤ表示部３の表示画面は、セキュリティロック解除後の画面へ遷移される。
【０１３８】
図１３は、本実施形態におけるセキュリティロック機能によるロックを解除のための動作を説明するためのフローチャートである。
【０１３９】
制御部７Ａは、タッチパネル部６の出力に基づいて、タッチパネル部６がタッチされたかを判別する（ステップ２０１）。
【０１４０】
タッチパネル部６がタッチされた場合、制御部７Ａは、解除条件における読み出し位置を示す指示部（例えば、ポインタ）と、タッチされたポイントの総数のカウント値と、を初期化して、指示部が示す解除条件の読み出し位置を、解除条件の１箇所目のポイントの位置に設定し、カウント値を０に設定する（ステップ２０２）。なお、カウント値は、制御部７Ａにて保持される。
【０１４１】
次に、制御部７Ａは、タッチパネル部６の出力を参照して、ポイントが検出されたかどうかを判別する（ステップ２０３）。
【０１４２】
ポイントが検出されていれば、制御部７Ａは、指示部が示す解除条件の読み出し位置から、操作対象となるポイントを読み出す（ステップ２０４）。なお、１箇所目のポイントは、ポイント“６”である。
【０１４３】
続いて、制御部７Ａは、制御部７Ａ内のカウント値に１を加算する（ステップ２０５）。
【０１４４】
続いて、制御部７Ａは、タッチパネル部６にて検出されたポイントが、解除条件から読み出されたポイントと一致したかどうか判別し（ステップ２０６）、一致していなければ、ステップ２０３に戻る。
【０１４５】
タッチパネル部６にて検出されたポイントが、解除条件から読み出されたポイントと一致していると、制御部７Ａは、解除条件から読み出されたポイントが、解除条件に示された最終箇所のポイントであるかどうか判別する（ステップ２０７）。
【０１４６】
解除条件から読み出されたポイントが、解除条件に示された最終箇所のポイントでなければ、制御部７Ａは、指示部が示す解除条件の読み出し位置を、次の箇所のポイントの位置に更新し（ステップ２０８）、ステップ２０３に戻る。
【０１４７】
なお、指示部が示す解除条件の読み出し位置が、１箇所目のポイントの位置であった場合、次の箇所のポイントの位置は、２箇所目のポイント（ポイント“１０”）の位置となる。
【０１４８】
また、指示部が示す解除条件の読み出し位置が、２箇所目のポイントの位置であった場合、次の箇所のポイントの位置は、３箇所目のポイント（ポイント“３”）の位置となる。
【０１４９】
ステップ２０７で、解除条件から読み出されたポイントが、解除条件に示された最終箇所のポイントであると、制御部７Ａは、タッチパネル部６の出力を参照して、タッチが解放されたかどうか判別する（ステップ２０９）。
【０１５０】
タッチが解放されていなければ、制御部７Ａは、ステップ２０９をループする。
【０１５１】
タッチが解放されていれば、制御部７Ａは、メモリ部５Ａから遷移ポイント総数を読み出す（ステップ２１０）。遷移ポイント総数はここでは「８」に設定されているとする。
【０１５２】
続いて、制御部７Ａは、制御部７Ａ内のカウント値と遷移ポイント総数が一致したかどうか判別し（ステップ２１１）、一致していなければ、解除パターン入力に失敗したと判断し、最初のステップ２０１に戻る。
【０１５３】
制御部７Ａ内のカウント値と遷移ポイント総数が一致していれば、制御部７Ａは、セキュリティロック機能によるロックを解除し、ＬＣＤ表示部３に、セキュリティロック解除後の画面３５（図６参照）を表示する（ステップ２１２）。
【０１５４】
本実施形態によれば、制御部７Ａは、遷移状況で遷移するタッチの位置にて順次選択される複数の操作対象の選択順が解除条件に表された選択順と一致するタッチ操作を、タッチパネル部６が検出し、かつ、タッチパネル部６にて検出されたポイントの数が遷移ポイント総数と一致する場合に、セキュリティロック機能によるロックを解除する。
【０１５５】
このため、セキュリティロック機能によるロックを解除するために必要となるタッチ操作を複雑にすることが可能になる。
【０１５６】
（第３実施形態）
次に、本発明の第３実施形態を説明する。
【０１５７】
図１４は、本発明の第３実施形態の電子機器の一例である携帯端末１００Ｂを示したブロック図である。
【０１５８】
図１４において、図１に示したものと同一構成のものには同一符号を付してある。以下、図１４に示した携帯端末１００Ｂについて、図１に示した携帯端末１００と異なる点を中心に説明する。
【０１５９】
図１４に示した携帯端末１００Ｂでは、図１に示したメモリ部５の代わりにメモリ部５Ｂが用いられ、制御部７の代わりに制御部７Ｂが用いられる。
【０１６０】
制御部７Ｂは、制御手段の一例である。
【０１６１】
制御部７Ｂは、遷移状況で遷移するタッチの位置にて順次選択されたポイントに付された識別情報（番号）を選択順に並べた入力情報を生成する。
【０１６２】
メモリ部５Ｂは、記憶手段の一例である。
【０１６３】
メモリ部５Ｂは、メモリ部５が記憶する情報に加えて、過去にロックの解除に用いたタッチ操作が行われた遷移状況で生成された入力情報を記憶する。
【０１６４】
制御部７Ｂは、今回の遷移状況で遷移するタッチの位置にて順次選択される複数の操作対象の選択順が解除条件に表された選択順と一致するタッチ操作を、タッチパネル部６が検出し、かつ、今回生成された入力情報が、メモリ部５Ｂ内の入力情報と異なる場合に、セキュリティロック機能によるロックを解除する。
【０１６５】
図１５は、本実施形態におけるセキュリティロック機能によるロックを解除のための動作を説明するためのフローチャートである。
【０１６６】
なお、図１５に示す処理のうち、ステップ３０１〜３０７は、図８に示したステップ１０１〜１０７と同一の処理であり、ステップ３１２〜３１３は、図８に示したステップ１０８〜１０９と同一の処理である。このため、ステップ３０１〜３０７およびステップ３１２〜３１３についての説明は省略する。
【０１６７】
ステップ３０６で、解除条件から読み出されたポイントが、解除条件に示された最終箇所のポイントであると、制御部７Ｂは、今回の遷移状況で検出されたポイントの検出履歴を生成する（ステップ３０８）。今回のポイント検出履歴は、「ポイント“６”、ポイント“１０”、ポイント“１１”、ポイント“７”、ポイント“３”」であるとする。
【０１６８】
なお、遷移状況で検出されたポイントの検出履歴は、その遷移状況で遷移するタッチの位置にて順次選択されたポイントに付された番号を選択順に並べた入力情報の一例である。
【０１６９】
続いて、制御部７Ｂは、メモリ部５Ｂから、前回のポイント検出履歴を読み出す（ステップ３０９）。
【０１７０】
続いて、制御部７Ｂは、今回のポイント検出履歴が前回のポイント検出履歴と一致しているかどうか判定し（ステップ３１０）、一致していれば、セキュリティ機能によるロックを解除せず、ステップ３０１に戻る。
【０１７１】
今回のポイント検出履歴が前回のポイント検出履歴と一致していなければ、制御部７Ｂは、今回のポイント検出履歴をメモリ部５Ｂに記憶し（ステップ３１１）、その後、ステップ３１２以降の処理を実行する。
【０１７２】
本実施形態によれば、今回のポイント検出履歴が前回のポイント検出履歴と一致していると、セキュリティ機能によるロックは解除されない。
【０１７３】
このため、第三者が、携帯端末１００Ｂのユーザがセキュリティ機能によるロックを解除するためのタッチ操作を盗み見て、その盗み見たタッチ操作を再現しても、セキュリティ機能によるロックは解除されない。よって、携帯端末１００Ｂのセキュリティレベルを上げることが可能になる。
【０１７４】
なお、第２実施形態で追加された機能（メモリ部が遷移ポイント総数を記憶し、制御部が、セキュリティロック機能によるロックを解除する条件の１つとして、タッチパネル部６にて検出されたポイントの数が遷移ポイント総数と一致するという条件を用いる機能）が、第３実施形態に追加されてもよい。
【０１７５】
この場合、メモリ部５Ｂは、遷移ポイント総数を記憶する。制御部７Ｂは、今回の遷移状況で遷移するタッチの位置にて順次選択される複数の操作対象の選択順が解除条件に表された選択順と一致するタッチ操作をタッチパネル部６が検出し、かつ、タッチパネル部６にて今回検出されたポイントの数がメモリ部５Ｂ内の遷移ポイント総数と一致し、かつ、今回生成された入力情報が、メモリ部５Ｂ内の入力情報と異なる場合に、セキュリティ機能によるロックを解除する。
【０１７６】
なお、上記各実施形態において、携帯端末はコンピュータにて実現されてもよい。この場合、このコンピュータは、コンピュータにて読み取り可能な記録媒体に記録されたプログラムを読込み実行して、携帯端末１００、１００Ａまたは１００Ｂが有する機能を実行する。
【０１７７】
以上説明した各実施形態において、図示した構成は単なる一例であって、本発明はその構成に限定されるものではない。
【符号の説明】
【０１７８】
１００、１００Ａ、１００Ｂ  携帯端末
１      カメラ
２      無線部
３      ＬＣＤ表示部
４      バックライト部
５、５Ａ、５Ｂ  メモリ部
６      タッチパネル部
７、７Ａ、７Ｂ  制御部
８      キー入力部
【図１】
2013117918.tif 000003
【図２】
2013117918.tif 000004
【図３】
2013117918.tif 000005
【図４】
2013117918.tif 000006
【図５】
2013117918.tif 000007
【図６】
2013117918.tif 000008
【図７】
2013117918.tif 000009
【図８】
2013117918.tif 000010
【図９】
2013117918.tif 000011
【図１０】
2013117918.tif 000012
【図１１】
2013117918.tif 000013
【図１２】
2013117918.tif 000014
【図１３】
2013117918.tif 000015
【図１４】
2013117918.tif 000016
【図１５】
2013117918.tif 000017